(57)【要約】      （修正有）【課題】保持器側でグリース漏れ対策を施すことができ、シール設計を外部からの異物浸入に特化して、高性能の密封型転がり軸受を提供する。【解決手段】外径面に転走面２２ａが形成された内輪２２と、内径面に転走面２３ａが形成された外輪２３と、内輪２２と外輪２３の転走面間に配列される転動体２４と、転動体２４を保持するポケットを有する保持器２５と、内輪２２と外輪２３間に形成された環状空間２７を密封するシール部材２６とを備えた密封型転がり軸受である。保持器２５のポケット底部の内径側に減肉部３３を設けた。保持器２５の外径面に曲面部４１を設けた。【選択図】図１
2012172834.tif 000002
【特許請求の範囲】
【請求項１】
外径面に転走面が形成された内輪と、内径面に転走面が形成された外輪と、内輪と外輪の転走面間に配列される転動体と、この転動体を保持するポケットを有する保持器と、内輪と外輪間に形成された環状空間を密封するシール部材とを備えた密封型転がり軸受であって、
前記保持器のポケット底部の内径側に減肉部を設けるとともに、保持器の外径面に曲面部を設けたことを特徴とする密封型転がり軸受。
【請求項２】
外輪の内径面の軸方向端部に、軸方向外方に向かって拡径するテーパ部を設けたことを特徴とする請求項１に記載の密封型転がり軸受。
【請求項３】
外輪の内径面の軸方向端部に、周方向凹溝を設けたことを特徴とする請求項１に記載の密封型転がり軸受。
【請求項４】
保持器が鉄製であることを特徴とする請求項１〜請求項３のいずれか１項に記載の密封型転がり軸受。
【請求項５】
保持器が樹脂製であることを特徴とする請求項１〜請求項３のいずれか１項に記載の密封型転がり軸受。
【請求項６】
保持器が切削加工にて成形させていることを特徴とする請求項１〜請求項５に記載の密封型転がり軸受。
【請求項７】
保持器が射出成形にて成形させていることを特徴とする請求項１〜請求項５に記載の密封型転がり軸受。
【請求項８】
保持器がＰＥＥＫにて形成されていることを特徴とする請求項５〜請求項７のいずれか１項に記載の密封型転がり軸受。
【請求項９】
保持器がＰＡにて形成されていることを特徴とする請求項５〜請求項７のいずれか１項に記載の密封型転がり軸受。
【請求項１０】
内部に充填されるグリースのグリース基油の動粘度を、２．３ｃｓｔ以上１７．５ｃｓｔ以下としたことを特徴とする請求項１〜請求項９のいずれか１項に記載の密封型転がり軸受。
【請求項１１】
クラッチレリーズ用軸受を構成することを特徴とする請求項１〜請求項１０のいずれか１項に記載の密封型転がり軸受。
【請求項１２】
プーリ軸受を構成することを特徴とする請求項１〜請求項１０のいずれか１項に記載の密封型転がり軸受。
【請求項１３】
電装補機アプリケーションに使用されることを特徴とする請求項１〜請求項１０のいずれか１項に記載の密封型転がり軸受。
【発明の詳細な説明】
【技術分野】
【０００１】
本発明は、自動車や一般モータ等の分野で使用される密封型転がり軸受に関する。
【背景技術】
【０００２】
カーエアコン用電磁クラッチ部の軸受、あるいは車両の補機ベルトやタイミングベルト用プーリの軸受等、一般的に外輪回転をする転がり軸受においては、雨水やダスト等が軸受内部に浸入しないように強固な密封性を有する密封型転がり軸受が使用されている。
【０００３】
すなわち、このような密封型転がり軸受は、図７に示すように、外径面に内側転走面２ａが形成された内輪２と、その内輪２の外側に配置され、内径面に外側転走面３ａが形成された外輪３と、内輪２の内側転走面２ａと外輪３の外側転走面３ａとの間に転動自在に介在された転動体としてのボール４と、内輪２と外輪３との間に配され、各ボール４を円周方向等間隔に保持する保持器５と、内輪２と外輪３間の軸方向両側に配され、その内輪２と外輪３間に形成された環状空間７を密封するシール部材６とで主要部が構成されている。このシール部材６により密封された環状空間７にグリース等の潤滑材を封入することにより、保持器５のポケット内でボール４がスムーズに転動するようにしている。
【０００４】
保持器５は、図８に示すように、環状の保持器本体２０を備え、この保持器本体２０の軸方向一端面１２に周方向に沿って所定ピッチで配設される凹部１３を形成するとともに、この凹部１３の周方向に対向する開口端から突出する一対の爪部１４、１４を設けて、凹部１３と一対の爪部１４、１４とでボール４が収納されるポケット１６を形成したものである。
【０００５】
シール部材６は、環状の芯金６ａとこの芯金６ａに一体に固着されるゴム状部材６ｂとで構成され、外輪３の内径面に形成されたシール取付溝９に外周部が嵌合状態に固定される。内輪２はシール部材６の内周部に対応する位置に、円周溝からなるシール溝１０が形成され、シール部材６の内周側端に形成されたシールリップ１１が内輪２のシール溝１０に摺接する。
【０００６】
このような密封型転がり軸受においては、軸受内部のグリースが漏れないようにする必要があり、そのため、従来では、グリース漏れ対策としてシール部材のシールリップの形状や接触角度を限定したり（特許文献１及び特許文献２）、２重のシール構造を備えたものであったりしていた（特許文献３）。
【先行技術文献】
【特許文献】
【０００７】
【特許文献１】特開２００５−１８０５７５号公報
【特許文献２】特開２００６−２２６３４８号公報
【特許文献３】特開２００５−２５０２４０号公報
【発明の概要】
【発明が解決しようとする課題】
【０００８】
ところで、グリース漏れは、内輪のシール溝にグリースが存在する場合、軸受温度上昇によるシールの呼吸現象によって起こると推察される。すなわち、接触シールのシールリップ部分にグリースが存在した状態で軸受温度が上昇すると、軸受内部の空気の膨張によって軸受内部の圧力が上昇するため、軸受外部との圧力差によりシールリップ部分が開いて軸受内のグリースや空気が軸受外部へ漏洩する現象が生じる。この現象を呼吸現象と呼ぶことができる。
【０００９】
このため、前記特許文献１から特許文献３に示すシール構造を備えた密封型転がり軸受においても、この呼吸現象によるグリース漏れを防止することが困難である。すなわち、このグリース漏れは、内輪のシール溝にグリースが付着することに起因するためである。転動体としてのボールに付着したグリースが、回転により保持器内径面で掻き取れられ、内輪の外径面に付着及び堆積する。そして、この付着及び堆積したグリースが、内輪のシール溝に入り込むことになる。
【００１０】
そこで、本発明は斯かる実情に鑑み、保持器側でグリース漏れ対策を施すことができ、シール設計を外部からの異物浸入に特化して、高性能の密封型転がり軸受を提供しようとするものである。
【課題を解決するための手段】
【００１１】
本発明の密封型転がり軸受は、外径面に転走面が形成された内輪と、内径面に転走面が形成された外輪と、内輪と外輪の転走面間に配列される転動体と、この転動体を保持するポケットを有する保持器と、内輪と外輪間に形成された環状空間を密封するシール部材とを備えた密封型転がり軸受であって、前記保持器のポケット底部の内径側に減肉部を設けるとともに、保持器の外径面に曲面部を設けたものである。
【００１２】
本発明の密封型転がり軸受によれば、ポケット底部の内径側に減肉部を設けることによって、保持器のポケット底部の内径側で掻き取られるグリース量を減少させることができる。これによって、内輪の外径面に形成されるシール溝内へのグリースの浸入を回避できる。さらに、保持器の外径面に曲面部を設けことによって、保持器公転によるブリースの攪拌抵抗を低減することができる。
【００１３】
外輪の内径面の軸方向端部に、軸方向外方に向かって拡径するテーパ部を設けたものであっても、周方向凹溝を設けたものであってもよい。
【００１４】
本発明のように、内輪のシール溝内へのグリースの浸入が防止されるようになれば、この軸受では、回転による遠心力でグリースが外輪側へ移動し、保持器外径側に付着しようとする。このため、前記のように外輪の内径面の軸方向端部にテーパ部が設けられたものでは、グリースはテーパ部に案内されて軸方向外方へ流動することになる。また、外輪の内径面の軸方向端部に周方向凹溝を設けたものでは、グリースを周方向凹溝に溜めることができる。
【００１５】
保持器が鉄製であっても、樹脂製であってもよい。また、樹脂製である場合、ＰＥＥＫやＰＡ等にて構成できる。ＰＥＥＫ（ポリエーテル・エーテル・ケトン樹脂）は、熱可塑性樹脂としては非常に高い耐熱性があり、耐疲労性に優れ、耐磨耗性や寸法安定性、耐薬品性にも優れている。ＰＡ(ポリアミド樹脂)は、耐摩耗性、耐寒冷性、耐衝撃性が良い。また、鉄製等であれば、切削加工にて成形でき、樹脂製等であれば、射出成形にて成形できる。
【００１６】
内部に充填されるグリースのグリース基油の動粘度を、２．３ｃｓｔ以上１７．５ｃｓｔ以下とするのが好ましい。このように設定することによって、温度上昇を抑えることができるとともに、転走面に表面傷みが生じない油膜形成状態を確保できる。すなわち、グリース基油の動粘度をこのように設定することによって、動粘度としては最適化される。
動粘度が１７．５ｃｓｔを越えると、軸受の温度上昇を抑えることができず、動粘度が２．３ｃｓｔ未満であれば、転走面の表面傷みが生じない油膜形成状態を確保できないおそれがある。
【００１７】
クラッチレリーズ軸受を構成したり、プーリ軸受を構成したりすることができる。クラッチレリーズ軸受は、自動車のエンジンとトランスミッションとの間に配設されるクラッチ装置に組み込まれるものである。プーリ軸受は、カーエアコンコンプレッサ、オルタネータ、パワステポンプ、ウォーターポンプ等のエンジン補機をベルト駆動するベルト、あるいはカムシャフトを駆動するタイミングベルトに使用されるものである。
【００１８】
前記本発明の密封型転がり軸受は電装補機アプリケーションに使用される。電装補機とは自動車等のエンジンに取付けられたベルトで駆動される部品の総称である。
【発明の効果】
【００１９】
本発明の密封型転がり軸受では、内輪の外径面に形成されるシール溝内へのグリースの浸入を回避でき、グリース漏れを有効に防止できる。すなわち、呼吸現象によるグリース漏れを有効に防止することができる。このため、シール設計を外部からの異物浸入に特化して高性能のシール機能を発揮することができる。また、保持器がグリースを攪拌することで生じるトルク増を抑えることができる。すなわち、グリースの攪拌抵抗を低減させることができ、低トルク化を図ることができる。
【００２０】
外輪の内径面の軸方向端部にテーパ部を設けたものでは、グリースが軸方向外方へ流動することになって、保持器によるグリースの攪拌抵抗をより低減でき、軸受の低トルク化を安定して図ることができる。また、外輪の内径面の軸方向端部に周方向凹溝を設けたものであっても、軸受の低トルク化を安定して図ることができる。
【００２１】
保持器に鉄製を用いれば、保持器は剛性が大となって、減肉部を設けたとしても、強度不足とならず、製品として安定する。また、保持器に樹脂製を用いれば、軽量化を図ることができ、樹脂にＰＥＥＫやＰＡ等を用いれば、これらは耐摩耗性等に優れているので、設けたとしても、強度不足とならず、製品として安定する。また、保持器は、切削加工や射出成形等の種々の成形方法を採用することができ、その材質に応じて最適の方法を採用することができる。
【００２２】
グリース基油の動粘度を、２．３ｃｓｔ以上１７．５ｃｓｔ以下とすることによって、さらなる低トルク化を図ることができる。
【００２３】
本発明の密封型転がり軸受では、クラッチレリーズ軸受を構成したり、プーリ軸受を構成したりすることができ、種々の用途の装置や部材に使用することができる。特に、耐グリース漏れ性に優れているので、耐グリース漏れ性が要求される電装補機アプリケーションに使用される軸受として最適となる。
【図面の簡単な説明】
【００２４】
【図１】本発明の第１の実施形態を示す密封型転がり軸受の断面図である。
【図２】前記密封型転がり軸受に用いた保持器の斜視図である。
【図３】本発明の第２の実施形態を示す密封型転がり軸受の断面図である。
【図４】本発明の第３の実施形態を示す密封型転がり軸受の断面図である。
【図５】実施例２の結果を示し、（ａ）は現行型のグラフ図であり、（ｂ）は改良型のグラフ図である。
【図６】実施例３の結果を示すグラフ図である。
【図７】従来の密封型転がり軸受の断面図である。
【図８】従来の保持器の斜視図である。
【発明を実施するための形態】
【００２５】
以下、本発明の実施形態を図面に従って説明する。
【００２６】
図１は本発明にかかる密封型転がり軸受を示し、この密封型転がり軸受は、自動車の電装部品や補機部品、例えばファンカップリング装置、オルタネータ、アイドラプーリ、カーエアコン用電磁クラッチ、電動ファンモータ等に組み込まれる。
【００２７】
この実施形態の密封型転がり軸受は、外径面に内側転走面２２ａが形成された内輪２２と、その内輪２２の外側に配置され、内径面に外側転走面２３ａが形成された外輪２３と、内輪２２の内側転走面２２ａと外輪２３の外側転走面２３ａとの間に転動自在に介在された複数の転動体２４としてのボール２４ａと、内輪２２と外輪２３との間に配され、各ボール２４ａを円周方向等間隔に保持する保持器２５と、内輪２２と外輪２３間の軸方向両側に配され、その内輪２２と外輪２３間に形成された環状空間２７を密封するシール部材２６とで主要部が構成されている。このシール部材２６により密封された環状空間２７にグリース等の潤滑材を封入することにより、保持器２５のポケット内でボール２４ａがスムーズに転動するようにしている。
【００２８】
シール部材２６は、環状の芯金２６ａとこの芯金２６ａに一体に固着されるゴム状部材２６ｂとで構成され、外輪２３の内径面に形成されたシール取付溝２９に外周部が嵌合状態に固定される。内輪２２はシール部材２６の内周部に対応する位置に、円周溝からなるシール溝３０が形成され、シール部材２６の内周側端に形成されたシールリップ３１が内輪２２のシール溝３０に摺接する。
【００２９】
この軸受の運転中、シール部材２６の先端のシールリップ３１が内輪２２の外周端部に摺接した状態を維持しながら、内輪２２が回転する。これにより、水やダスト等の異物が軸受内部に浸入したり、あるいは、軸受内部から潤滑材が外部へ漏れたりすることを未然に防止するようにしている。
【００３０】
この保持器２５は、図２に示すように、軸方向一端面３６に周方向に沿って所定ピッチで配設される凹部３７を形成した環状の保持器本体３５と、この保持器本体３５の凹部３７の周方向に対向する開口端から突出する爪部３８とを備える。そして、凹部３７と、この開口端から突出する一対の爪部３８、３８とで、前記ボール２４ａが保持されるポケット３９が構成される。
【００３１】
保持器２５は、この種の一般的に使用される耐摩耗性等に優れた樹脂、例えばポリエチレン、ポリアミド、ポリアセタール、ポリエチレンテレフタレート、ポリブチレンテレフタレート、ポリカーボネート、ポリフェニレンサルファイド、ポリエーテルサルフォン、ポリエーテルイミド、ポリアミドイミド、ポリエーテルエーテルケトン、熱可塑性ポリイミド、熱硬化性ポリイミド、エポキシ樹脂、フェノール樹脂等の合成樹脂で形成することができる。さらには、ポリアミド、ポリフェニレンサルファイド、あるいはポリエーテルエーテルケトン等の熱可塑性樹脂をベースとして、強度向上と寸法安定性のために、ガラス繊維を添加したものも採用することができる。
【００３２】
本発明においては、保持器２５の保持器材料として、引張強さ，耐衝撃性，耐摩耗性，潤滑性等に優れたポリアミド樹脂（ＰＡ）等を用いるのが好ましい。ポリアミド樹脂としては、ＰＡ６６（ポリアミド６６）であったり、ＰＡ４６（ポリアミド４６）であったり、ＰＡ９Ｔ（ポリアミド９Ｔ）であったり、ＰＡ１１（ポリアミド１１）であったり、ＰＡ６（ポリアミド６）であったりする。このように、本発明では、保持器材料として、引張強さ，耐衝撃性，耐摩耗性，潤滑性等に優れたポリアミド樹脂を用いることができ、高品質な保持器を提供できる。
【００３３】
また、保持器２５の保持器材料として、ＰＥＥＫ（ポリエーテル・エーテル・ケトン樹脂）であってもよい。熱可塑性樹脂としては非常に高い耐熱性があり、耐疲労性に優れ、耐磨耗性や寸法安定性、耐薬品性にも優れている。保持器２５として、炭素鋼、ばね鋼、ステンレス鋼等の金属製であってもよい。金属製の保持器では切削加工等によって成形される。前記実施形態のように、樹脂製の保持器では射出成形等にて成形される。なお、外輪２３、内輪２２、ボール２４ａは、例えば軸受鋼、浸炭鋼等の金属で形成される。
【００３４】
また、この密封型転がり軸受に充填されるグリースは、基油、増ちょう剤及び添加剤から成る半固体状の潤滑剤である。潤滑グリースを構成する基油としては、例えば、パラフィン系鉱油、ナフテン系鉱油などの鉱油、ポリブデン、ポリ-α-オレフィン、アルキルベンゼン、アルキルナフタレン、脂環式化合物等の炭化水素系合成油、または、天然油脂やポリオールエステル油、リン酸エステル、ジエステル油、ポリグリコール油、シリコーン油、ポリフェニルエーテル油、アルキルジフェニルエーテル油、フッ素化油等の非炭化水素系合成油等、一般に潤滑グリースの基油として使用されている油であれば特に限定することなく使用できる。基油（グリース基油）の動粘度を、２．３ｃｓｔ以上１７．５ｃｓｔ以下とする。動粘度とは、粘度と密度の比である。
【００３５】
また、増ちょう剤としては、アルミニウム石けん、リチウム石けん、ナトリウム石けん、複合リチウム石けん、複合カルシウム石けん、複合アルミニウム石けんなどの金属石けん系増ちょう剤、ジウレア化合物、ポリウレア化合物等のウレア系化合物が挙げられる。これらの増ちょう剤は、単独または２種類以上組み合せて用いてもよい。
【００３６】
潤滑グリース用の公知の添加剤としては、例えば極圧剤、アミン系、フェノール系等の酸化防止剤、ベンゾトリアゾールなどの金属不活性剤、ポリメタクリレート、ポリスチレン等の粘度指数向上剤、二硫化モリブデン、グラファイト等の固体潤滑剤等が挙げられる。これらを単独または２種類以上組み合せて添加できる。
【００３７】
ところで、この密封型転がり軸受の保持器２５は、図２に示すように、ポケット底部の内径側に減肉部３３を設けている。すなわち、減肉部３３は、各ポケット３９も一対づつ設けられるものであって、凹部３７の内径縁に面取り（切欠部）を設けることにより形成している。
【００３８】
また、保持器２５の外径面において、反爪部側に円弧状の曲面部４１を設けている。これによって、軸受内部において、軸受軸方向外方へ広がるスペースＳを形成するものである。このため、このスペースＳによって、軸受内部に充填されるグリースが軸受軸方向外方へ排出される前記排出構造部４０を構成する。
【００３９】
このように、ポケット底部の内径側に減肉部３３を設けことによって、保持器２５のポケット底部の内径側で掻き取られるグリース量を減少させることができる。これによって、内輪２２の外径面に形成されるシール溝内へのグリースの浸入を回避でき、グリース漏れを有効に防止できる。すなわち、呼吸現象によるグリース漏れを有効に防止することができる。このため、シール設計を外部からの異物浸入に特化して高性能のシール機能を発揮することができる。
【００４０】
保持器２５の外径面に曲面部４１を設けことによって、保持器公転によるグリースの攪拌抵抗を低減することができ、トルク増を抑えることができる。すなわち、グリースの攪拌抵抗を低減させることができ、低トルク化を図ることができる。
【００４１】
また、排出構造部４０を設けたことによって、グリースが軸受軸方向外方へ排出され、ボール２４ａ上へのグリースの浸入を防止できる。これによって、グリースのせん断抵抗を低減し、低トルク化を図ることができる。
【００４２】
グリースの基油の動粘度を、２．３ｃｓｔ以上１７．５ｃｓｔ以下とすることによって、温度上昇を抑えることができるとともに、転走面２２ａ、２３ａに表面傷みが生じない油膜形成状態を確保できる。すなわち、グリース基油の動粘度をこのように設定することによって、動粘度としては最適化され、さらなる低トルク化を図ることができる。動粘度が１７．５ｃｓｔを越えると、軸受の温度上昇を抑えることができず、動粘度が２．３ｃｓｔ未満であれば、転走面２２ａ、２３ａの表面傷みが生じない油膜形成状態を確保できないおそれがある。
【００４３】
転走面２２ａ、２３ａの表面傷みの起こる油膜成形率は次の数１に示す関係から導ける。すなわち、最小油膜厚さをｈminとした場合、ｈmin＞０．０３２（μｍ）となる。このため、０．０３２（μｍ）を超える油膜厚さを実現するグリース基油の動粘度（ａｔ  １００℃）は２．３ｃｓｔ以上となる。
【数１】
2012172834.tif 000003
【００４４】
保持器２５に樹脂製を用いれば、軽量化を図ることができ、樹脂にＰＥＥＫやＰＡ等を用いれば、これらは耐摩耗性等に優れているので、減肉部３３や曲面部４１を設けたとしても、強度不足とならず、製品として安定する。
【００４５】
図３では、外輪２３の内径面の軸方向端部に、軸方向外方に向かって拡径するテーパ部４５、４５を設けたものである。このように、テーパ部４５、４５を設けたことによって、グリースは保持器２５の外径側に止まらず、テーパ部４５、４５を伝って軸方向外方へ流動し、保持器２５がグリースを攪拌することで生じるトルク増を抑えることができる。この図３に示す密封型転がり軸受においても、ポケット底部の内径側に減肉部３３を設けるとともに、外径面に曲面部４１を設けている。このため、前記図１の密封型転がり軸受と同様の作用効果を奏する。
【００４６】
次に図４は、外輪２３の内径面の軸方向端部に周方向凹溝５０、５０を設けたものである。このように周方向凹溝５０、５０を設けることによって、周方向凹溝５０、５０にグリースを溜めることができ、保持器２５がグリースを攪拌することで生じるトルク増を抑えることができる。この図４に示す密封型転がり軸受においても、ポケット底部の内径側に減肉部３３を設けるとともに、外径面に曲面部４１を設けている。このため、前記図１や図３に示す密封型転がり軸受等と同様の作用効果を奏する。
【００４７】
本発明の密封型転がり軸受は、グリース潤滑でトルク低減効果を得ることができる軸受を提供することができる。このため、クラッチレリーズ軸受を構成したり、プーリ軸受を構成したりすることができる。クラッチレリーズ軸受は、自動車のエンジンとトランスミッションとの間に配設されるクラッチ装置に組み込まれるものである。プーリ軸受は、カーエアコンコンプレッサ、オルタネータ、パワステポンプ、ウォーターポンプ等のエンジン補機をベルト駆動するベルト、あるいはカムシャフトを駆動するタイミングベルトに使用されるものである。
【００４８】
このように、クラッチレリーズ軸受を構成したり、プーリ軸受を構成したりすることができ、種々の用途の装置や部材に使用することができる。特に、ファンカップリング装置、オルタネータ、アイドラプーリ、カーエアコン用電磁クラッチ、電動ファンモータ等に組み込まれる軸受として最適となる。すなわち、耐グリース漏れ性に優れているので、耐グリース漏れ性が要求される電装補機アプリケーションに使用される軸受として最適となる。
【００４９】
以上、本発明の実施形態につき説明したが、本発明は前記実施形態に限定されることなく種々の変形が可能であって、例えば、ボール２４ａを保持するためのポケット３９の数として、前記実施形態では１２個であったが、その数は任意に増減できる。外輪２３の内径面に設けられるテーパ部４５のテーパ角度としては、グリースを軸方向外方へ排出可能範囲で種々変更できる。また、テーパ部４５を設ける場合、前記実施形態では、軸方向両端部に設けられているが、いずれか一方に設けてもよい。
【００５０】
外輪２３の内径面に設けられる周方向凹溝５０を設ける場合、周方向凹溝５０の形状や大きさ等は、このような周方向凹溝５０を設けた際に、外輪２３が強度的に劣ることにならず、かつ、グリースを溜めることが可能な範囲で種々変更できる。周方向凹溝５０を設ける場合、前記実施形態では、軸方向両端部に設けられているが、いずれか一方に設けてもよい。
【００５１】
保持器のポケット底部の内径側に設けられる減肉部３３としては、前記実施形態では、各ポケット３９に２つ設けていたが、一つでもあっても、３つ以上であってもよい。また、減肉部３３の大きさや配置位置等は、保持器のポケット底部の内径側で掻き取られるグリース量を減少させることができる範囲で種々変更することができる。
【実施例１】
【００５２】
次に、保持器に減肉部３３を有するものと、減肉部３３を有さないものとのグリース漏れを比較した。軸受として複列アンギュラ玉軸受を用いた。回転速度を９０００ｒ／ｍｉｎとし、ラジアル荷重を１４７０Ｎとし、雰囲気温度として８０℃とし、運転時間を２０時間とした。その試験結果を次の表１に示した。なお、表１の現行型とは、減肉部３３を有さない従来タイプの保持器を用いたものであり、表１の改良型１とは、前記図２に示すように、各ポケットに２つの減肉部３３を有する保持器を用いたものである。
【表１】
2012172834.tif 000004
【００５３】
表１から分かるように、現行型にはグリース漏れがあり、改良型にはグリース漏れが生じなかった。なお、各タイプにおいて質量がマイナス、つまり減少（質量減）があったが、この減少には、防錆油及びグリース基油の蒸発による重量減がある。このため、改良型の重量減は、この重量減であり、現行型の重量減はこの重量減およびグリース漏れの重量減を含むものである。
【実施例２】
【００５４】
次に、保持器２５の外径面に曲面部４１を設けたもの（改良型２）と、保持器２５の外径面に曲面部４１を有さないもの（現行型）とのトルクと温度とを比較した。軸受としては、ＮＴＮ社製の６２０３Ｔ２×３を用い、グリースとして日本グリース社のＭＰ−１を用いた。また、回転速度１８００ｒ／ｍｉｎとし、無負荷、自然昇温とした。曲面部４１としては、爪方向に向けて凸にわん曲した主曲率部と、該主曲率部よりも小さな曲率半径で背面方向に向けて凸にわん曲して前記主曲率部に連設される小曲率部とから成る複合曲率面とした。
【００５５】
図５（ａ）に現行型のトルクと温度とを示し、図５（ｂ）に改良型２のトルクと温度とを示している。これらのグラフ図から改良型２が現行型よりも低トルク化が達成されていることが分かる。
【実施例３】
【００５６】
グリース基油の動粘度と軸受の温度上昇との関係を調べた。軸受としては、ＮＴＮ社製の複列アンギュラ玉軸受を用いた。回転速度９５００ｒ／ｍｉｎとし、荷重２２２４Ｎ、荷重オフセット量０ｍｍとし、温度を室温（２０℃〜２５℃）とした。その結果を次の図６に示した。
【００５７】
この図６のグラフからグリースの基油（１００℃）が１７．５ｃｓｔ以下で温度上昇を抑えていることが分かる。
【符号の説明】
【００５８】
２２ａ 内側転走面
２２   内輪
２３ａ 外側転走面
２３   外輪
２４   転動体
２５   保持器
２６   シール部材
３３   減肉部
３５   保持器本体
３６   軸方向一端面
３７   凹部
３８   爪部
３９   ポケット
４５   テーパ部
５０   周方向凹溝
【図１】
2012172834.tif 000005
【図２】
2012172834.tif 000006
【図３】
2012172834.tif 000007
【図４】
2012172834.tif 000008
【図７】
2012172834.tif 000009
【図８】
2012172834.tif 000010
【図５】
2012172834.tif 000011
【図６】
2012172834.tif 000012